(57)【要約】【課題】名刺を収納した状態で封筒に入れて輸送中に名刺が破損するのを防止でき、輸送後には使用中の名刺及び受領した他人の名刺の保管用としても使用できる名刺ケースを提供する。【解決手段】厚地の紙材２９で形成され、左右少なくとも一方の側面が開閉可能な蓋１１、１２となって、それぞれ重ねられた実質長方形の名刺１３からなる名刺群１４、１５を並べて収納する収納箱１６と、紙材で形成され、収納箱１６内に並べて収容した名刺群１４、１５を他の名刺群１５、１４と区別する仕切り１７とを有する。【選択図】図１
0003120950.tif 000002
【実用新案登録請求の範囲】
【請求項１】
厚地の紙材で形成され、左右少なくとも一方の側面が開閉可能な蓋となって、それぞれ重ねられた実質長方形の名刺からなる名刺群を並べて収納する収納箱と、
紙材で形成され、前記収納箱内に並べて収容した前記名刺群を他の名刺群と区別する仕切りとを有することを特徴とする名刺ケース。
【請求項２】
請求項１記載の名刺ケースにおいて、前記名刺群は２組あって、前記収納箱の中央側表面及びこれに連接する前後の側面に切り取り可能な蓋板部が設けられ、前記収納箱の裏面の中央部には前後方向に指向する折り曲げ線が形成されていることを特徴とする名刺ケース。
【請求項３】
請求項２記載の名刺ケースにおいて、該仕切りはそれぞれの前記名刺群に対して設けられ、並べて収納された前記名刺群の隣接する面に接する仕切り板部を中央にして、その両側に第１、第２のカバー板部を有して断面コ字状になっていることを特徴とする名刺ケース。
【請求項４】
請求項３記載の名刺ケースにおいて、前記名刺群は平面視して長辺側の面が隣接して前記収納箱に配置されて、前記仕切りの前記第１のカバー板部は、前記名刺と実質的に同一形状となって、その先側にはインデックス記入部が並べて形成されていることを特徴とする名刺ケース。
【考案の詳細な説明】
【技術分野】
【０００１】
本考案は、名刺を収納した状態で封筒に入れて輸送中に名刺が破損するのを防止し、輸送後には使用中の名刺及び受領した他人の名刺の保管用として使用する名刺ケースに関する。
【背景技術】
【０００２】
名刺は、例えば１００枚単位で印刷され、合成樹脂製のケースに収納された状態で納品される。そして、名刺を使い終わると不要になった名刺ケースは廃棄されるが、合成樹脂製のケースは製造コストが高い上に、焼却時には環境汚染の問題を有する。そこで、合成樹脂製のケースに代わって、製造費が安く、廃棄した場合にも環境汚染の問題が生じない紙製の名刺ケースが提案されている（例えば、特許文献１、２参照）。
【０００３】
【特許文献１】実用新案登録第３０１３２６５号公報
【特許文献２】実用新案登録第３０４４９９１号公報
【考案の開示】
【考案が解決しようとする課題】
【０００４】
しかしながら、特許文献１、２に記載された名刺ケースでは、印刷した名刺を全て重ねて名刺ケースに収納するため、名刺ケースの厚みが大きくなる。このため、名刺を収納した名刺ケースを封筒に入れて輸送しようとしても嵩ばり、規格外サイズの輸送物になって輸送コストが増大するという問題が生じていた。
【０００５】
本考案はかかる事情に鑑みてなされたもので、名刺を収納した状態で封筒に入れて輸送中に名刺が破損するのを防止でき、輸送後には使用中の名刺及び受領した他人の名刺の保管用としても使用できる名刺ケースを提供することを目的とする。
【課題を解決するための手段】
【０００６】
前記目的に沿う本考案に係る名刺ケースは、厚地の紙材で形成され、左右少なくとも一方の側面が開閉可能な蓋となって、それぞれ重ねられた実質長方形の名刺からなる名刺群を並べて収納する収納箱と、
紙材で形成され、前記収納箱内に並べて収容した前記名刺群を他の名刺群と区別する仕切りとを有する。なお、ここで、収納箱に並べて収納される名刺群は２つの場合、更に３以上の場合を含む。
【０００７】
本考案に係る名刺ケースにおいて、前記名刺群は２組あって、前記収納箱の中央側表面及びこれに連接する前後の側面に切り取り可能な蓋板部が設けられ、前記収納箱の裏面の中央部には前後方向に指向する折り曲げ線が形成されていることが好ましい。
【０００８】
本考案に係る名刺ケースにおいて、該仕切りはそれぞれの前記名刺群に対して設けられ、並べて収納された前記名刺群の隣接する面に接する仕切り板部を中央にして、その両側に第１、第２のカバー板部を有して断面コ字状にすることができる。
【０００９】
本考案に係る名刺ケースにおいて、前記名刺群は平面視して長辺側の面が隣接して前記収納箱に配置されて、前記仕切りの前記第１のカバー板部は、前記名刺と実質的に同一形状となって、その先側にはインデックス記入部が並べて形成されていることが好ましい。
【考案の効果】
【００１０】
請求項１〜４記載の名刺ケースにおいては、名刺を重ねて名刺群を形成し、形成した名刺群を蓋を開けて収納箱内に並べて収納できるので、名刺を全て重ねて収納箱に収納する場合と比べて収納箱の厚みを薄くでき、名刺ケースを封筒に入れた際に封筒の厚みを薄くできる。このため、封筒が嵩ばらず、輸送が容易になる。また、収納箱内に並べて収容した名刺群を他の名刺群と区別する仕切りがあるので、輸送中に名刺がずれるのを防止できる。
【００１１】
特に、請求項２記載の名刺ケースにおいては、収納箱には切り取り可能な蓋板部が設けられているので、蓋板部を切り取ることにより収納箱に開口部を形成することができ、裏面の中央部には前後方向に指向する折り曲げ線が形成されているので、名刺群を収納箱から取り出して収納箱の裏面を折り曲げ線に沿って谷折りすることができ、収納箱の左右の側面を底面にして立設可能で、開口部が上方を向いて、二つ折りされた状態の収納箱に変形することができ、取り出した名刺群を開口部から収納箱に戻すことで、使用する名刺を保管することができる。
【００１２】
請求項３記載の名刺ケースにおいては、仕切りは、名刺群の隣接する面に接する仕切り板部を中央にして、その両側に第１、第２のカバー板部を有して断面コ字状になっているので、収納箱の蓋を開け、蓋板部を切り取って形成された開口部から指を差し込んで仕切りを押し出す、又は開口部から仕切りを名刺群を挟んだ状態で引き抜くことで、名刺を名刺群単位で収納箱から取り出すことができる。
【００１３】
請求項４記載の名刺ケースにおいては、仕切りから不要なインデックス記入部の一部又は全部を切り取って仕切りを名刺群を収容している収納箱に戻すことにより、名刺の使用により収納箱内に生じた空間部を利用して、受領した他人の名刺を自己の名刺と区別しながら整理、収納することができる。
【考案を実施するための最良の形態】
【００１４】
続いて、添付した図面を参照しつつ、本考案を具体化した実施の形態につき説明し、本考案の理解に供する。
ここで、図１（Ａ）は本考案の一実施の形態に係る名刺ケースに名刺を収納して輸送する時の状態を示す斜視図、（Ｂ）は蓋板部を切り取って開口部を形成した状態の同名刺ケースの斜視図、図２は同名刺ケースの収納箱の展開図、図３は同名刺ケースの仕切りの展開図、図４（Ａ）〜（Ｅ）は同名刺ケースの使用方法の手順を示す斜視図、図５は（Ａ）〜（Ｆ）は同名刺ケースの別の使用方法の手順を示す斜視図である。
【００１５】
図１（Ａ）、（Ｂ）に示すように、本考案の一実施の形態に係る名刺ケース１０は、厚地（例えば、厚みが０．３〜０．５ｍｍ）の紙材２９（図２参照）で形成され、左右の側面が開閉可能な蓋１１、１２となって、それぞれ重ねられた実質長方形の名刺１３からなる２つの名刺群１４、１５を並べて収納する収納箱１６と、紙材（例えば、厚みが０．３〜０．５ｍｍ）で形成され、収納箱１６内に並べて収容した一方の名刺群１４を他方の名刺群１５と区別する仕切り１７とを有している。ここで、収納箱１６の左右方向の内寸法は、２つの名刺群１４、１５を平面視して長辺側の面が隣接するように並べ、名刺群１４、１５の隣接する面側にそれぞれ仕切り１７を設けた状態で収納可能（名刺１３の短辺長さ×２＋仕切り１７の紙材の厚さ×２）に形成され、収納箱１６の前後方向の内寸法は名刺１３の長辺長さと実質的に等しく形成されている。
【００１６】
このような構成とすることにより、作製（印刷）した複数枚（例えば、１００枚）の名刺１３を名刺群１４、１５に分け、収納箱１６の蓋１１、１２のいずれか一方又は双方を開けて名刺群１４、１５を収納箱１６内に並べて収納することができ、従来のように名刺を全て重ねて収納する場合に使用するケースの厚みに比べて、収納箱１６の厚みを、例えば１５〜１８ｍｍと薄くすることができる。このため、名刺ケース１０を封筒に入れた際の総厚みを薄く、例えば２０ｍｍ以内にでき、封筒が嵩ばらないため輸送が容易になる。
そして、名刺ケース１０を封筒に入れた際の総厚みを薄くできることで、名刺ケース１０を収容した封筒を、輸送業において予め設定されている規格寸法輸送物として取り扱うことができ、輸送コストの低減も図れる。そして、収納箱１６内に並べて収容した名刺群１４、１５は、仕切り１７で区別されるので、輸送中に名刺１３がずれて名刺群１４、１５が崩れるのが防止される。
【００１７】
ここで、収納箱１６の表面１８の中央部分（中央側表面）及びこれに連接する前後の側面１９、２０に切り取り可能な蓋板部２１が設けられ、収納箱１６の裏面２２の中央部には前後方向に指向する折り曲げ線２３が形成されている。また、仕切り１７は名刺群１４、１５に対してそれぞれ設けられ、各仕切り１７は並べて収納された名刺群１４、１５の隣接する面に接する仕切り板部２４を中央にして、その両側に第１、第２のカバー板部２５、２６を有して断面コ字状になっている。
【００１８】
このような構成とすることにより、蓋板部２１を切り取ることにより、収納箱１６の中央側表面１８及びこれに連接する前後の側面１９、２０に開口部２７を形成することができ、開口部２７から名刺群１４、１５の隣接する側をそれぞれ仕切り１７で覆われている状態で露出させることができる。そして、収納箱１６の蓋１１、１２を開けて、仕切り１７と共に名刺群１４、１５をそれぞれ取り出し、裏面２２を折り曲げ線２３に沿って谷折りすることで、収納箱１６の左右の蓋１１、１２となっている側面を底面にして立設可能で、開口部が上方に向いて二つ折りされた状態の収納箱１６ａ（図４参照）に変形できる。次いで、収納箱１６ａ内に名刺群１４、１５を戻すと、名刺群１４、１５の長辺側の面を上方に向け上部を露出させた状態にすることができ、名刺群１４、１５から名刺１３を順次取り出すことができる。また、蓋板部２１を切り取り開口部２７から仕切り１７のみを抜き取ると、名刺群１４、１５を収納箱１６に並べて収納したときの状態でその隣接側を開口部２７から露出させることができ、名刺群１４、１５から名刺１３を順次取り出すこともできる。
【００１９】
ここで、収納箱１６は、例えば、図２に示すような、収納箱１６を展開して示した板紙２９を組み立てることで形成できる。そして、この展開図において、板紙２９は、表面１８と、表面１８の左右両側に連接して設けられた蓋（側面）１１、１２を備え、蓋１１、１２の外側には連接して蓋折り込み部３０が設けられている。また、板紙２９は、表面１８の前後にそれぞれ連接する側面１９、２０、及び側面２０の外側（後側）に連接する裏面２２を備え、側面１９、２０の左右両側には側折り込み部３１が設けられ、裏面２２の後側には組み立て時に連接して側面１９の裏側に固定される固定部３２が設けられている。
【００２０】
更に、板紙２９の前後方向に向いた中心線Ｃに対称に、側面１９、表面１８、側面２０に連続して切れ目３３を間隔を設けて並べて形成される切り取り点線３５がそれぞれ設けられ、裏面２２には中心線Ｃに沿ってミシン目からなる折り曲げ線２３が形成されている。また、固定部３２には、固定部３２を側面１９の裏側に固定した際に、側面１９に形成されている切り取り点線３５の形状と実質的に合同となる形状に、切れ目３３を間隔を設けて並べて形成される切り取り点線３６が中心線Ｃに対称にそれぞれ形成されている。これによって、左右対称となる切り取り点線３５、３６で挟まれた領域が蓋板部２１になる。
【００２１】
図３の仕切り１７の展開図に示すように、各仕切り１７の第１のカバー板部２５は、名刺１３と実質的に同一形状となって、基板３９とその先側に複数並べて形成されているインデックス記入部３７を有している。ここで、符号３８は、第１のカバー板部２５の基板３９とインデックス記入部３７の境界を示す浅い窪みによって形成された境界線、符号４０は浅い窪みに沿って山折りして第１のカバー板部２５と仕切り板部２４の角部を形成する第１の山折り案内線、符号４１はミシン目に沿って山折りして仕切り板部２４と第２のカバー板部２６の角部を形成する第２の山折り案内線、符号４５はインデックス記入部３７の上端部をインデックス記入部３７の基側から切り離す際の案内となるミシン目からなる切り離し案内線である。
【００２２】
次に、本考案の一実施の形態に係る名刺ケース１０の使用方法について説明する。
名刺１３を輸送する場合、先ず、輸送しようとする複数枚の名刺１３を２分割して名刺群１４、１５を形成する。そして、展開状態の仕切り１７を第２、第１の山折り案内線４１、４０に沿って山折りして断面コ字状にし、名刺群１４の長辺側の側面に仕切り板部２４の内側を当接させ、名刺群１４の表面に第１のカバー板部２５の裏側を、裏面に第２のカバー板部２６の裏側を当接させる。また、名刺群１５にも、名刺群１４と同様に断面コ字状の仕切り１７を被せる。次いで、収納箱１６の蓋１１、１２を開けて、名刺群１４、１５に被せた仕切り１７の仕切り板部２４同士が隣接するように収納箱１６に名刺群１４、１５を並べて装入し、蓋１１、１２を閉じる。次いで、名刺１３を収納している収納箱１６を封筒に入れて送付する。
【００２３】
封筒が到着すると、図４（Ａ）に示すように、封筒を開けて収納箱１６を取り出す。そして、対称に形成された切り取り点線３５、３６に沿って蓋板部２１を切り取り、図４（Ｂ）に示すように収納箱１６に開口部２７を形成する。次いで、図４（Ｃ）に示すように、収納箱１６の蓋１１、１２を開けて仕切り１７と共に名刺群１４、１５を取り出し、名刺群１４、１５から断面コ字状の仕切り１７を分離し平面状に広げる。そして、図４（Ｄ）に示すように、平面状にした仕切り１７から、第２の山折り案内線４１に沿って第２のカバー板部２６を切り離し、更に、使用に際して必要なインデックス記入部３７のみ残し、不要となるインデックス記入部３７の上端部を切り離し案内線４５に沿って切り取ってインデックス板４３を形成する。また、収納箱１６の裏面２２を折り曲げ線２３に沿って谷折りして、収納箱１６の左右の蓋１１、１２を底面にして立設した収納箱１６ａに変形する。次いで、図４（Ｅ）に示すように、収納箱１６ａ内に名刺群１４、１５を戻し、更にインデックス板４３も差し込む。これによって、各名刺群１４、１５から順次名刺１３を取り出すことができる。そして、名刺の使用で空間部が生じると、空間部には受領した他人の名刺を収納することができ、その場合、この空間部にインデックス板４３を移動させて自己の名刺１３との仕切りとして作用させることができる。
【００２４】
また、本考案の名刺ケース１０の別の使用方法の手順を図５（Ａ）〜（Ｆ）に示す。ここで、名刺ケース１０の別の使用方法は、前記した名刺ケース１０の使用方法と比べて、仕切り１７からインデックス板４４を形成する方法、及び使用する名刺１３の保管方法が異なるので、インデックス板４４の形成方法及び使用する名刺１３の収納方法についてのみ説明する。
図４（Ｄ）に示すように、名刺群１４、１５と共に取り出した仕切り１７の第１、第２の山折り案内線４０、４１を逆に折り返して各仕切り１７を平面状に戻す。次いで、使用に際して不要となるインデックス記入部３７の上端部を切り離し案内線４５に沿って切り離しインデックス板４４を形成し、境界線３８に沿ってインデックス板４４を谷折りする。そして、図４（Ｅ）に示すように、インデックス板４４のインデックス記入部３７が開口部２７に露出するように、一方のインデックス板４４を開口部２７から収納箱１６の左右いずれか一方の収納部に、他方のインデックス板４４を開口部２７から収納箱１６の他方の収納部にそれぞれ装入する。次いで、図４（Ｆ）に示すように、各蓋１１、１２を開けて、名刺群１４、１５を収納箱１６内に戻して蓋１１、１２を閉じる。これによって、開口部２７から名刺群１４、１５の名刺１３を順次取り出すことができる。そして、名刺の使用で収納部に空間が生じると、生じた空間に受領した他人の名刺を挿入して、インデックス板４４を自己の名刺１３と他人の名刺の間で仕切りとして作用させることができる。
【００２５】
以上、本考案の実施の形態を説明したが、本考案は、この実施の形態に限定されるものではなく、考案の要旨を変更しない範囲での変更は可能であり、前記したそれぞれの実施の形態や変形例の一部又は全部を組み合わせて本考案の名刺ケースを構成する場合も本考案の権利範囲に含まれる。
例えば、収納箱の左右の側面を開閉可能な蓋としたが、左右の一方の側面のみを開閉可能な蓋としてもよい。
【図面の簡単な説明】
【００２６】
【図１】（Ａ）は本考案の一実施の形態に係る名刺ケースに名刺を収納して輸送する時の状態を示す斜視図、（Ｂ）は蓋板部を切り取って開口部を形成した状態の同名刺ケースの斜視図である。
【図２】同名刺ケースの収納箱の展開図である。
【図３】同名刺ケースの仕切りの展開図である。
【図４】（Ａ）〜（Ｅ）は同名刺ケースの使用方法の手順を示す斜視図である。
【図５】（Ａ）〜（Ｆ）は同名刺ケースの別の使用方法の手順を示す斜視図である。
【符号の説明】
【００２７】
１０：名刺ケース、１１、１２：蓋、１３：名刺、１４、１５：名刺群、１６、１６ａ：収納箱、１７：仕切り、１８：表面、１９、２０：側面、２１：蓋板部、２２：裏面、２３：折り曲げ線、２４：仕切り板部、２５：第１のカバー板部、２６：第２のカバー板部、２７：開口部、２９：板紙、３０：蓋折り込み部、３１：側折り込み部、３２：固定部、３３：切れ目、３５、３６：切り取り点線、３７：インデックス記入部、３８：境界線、３９：基板、４０：第１の山折り案内線、４１：第２の山折り案内線、４３、４４：インデックス板、４５：切り離し案内線
【図１】
0003120950.tif 000003
【図２】
0003120950.tif 000004
【図３】
0003120950.tif 000005
【図４】
0003120950.tif 000006
【図５】
0003120950.tif 000007